(57)【特許請求の範囲】
【請求項１】
前面を開口した自動販売機本体と、自動販売機本体の前面を開閉する外扉と、自動販売機本体内の商品収納庫を開閉する内扉とを備え、外扉及び内扉を自動販売機本体の幅方向一端側に回動自在に連結した自動販売機において、
前記内扉を互いに幅方向に分割された第１及び第２の扉部から形成し、
第１の扉部の幅方向一端に所定長さの連結部材の一端を回動自在に連結するとともに、連結部材の他端を自動販売機本体に回動自在に連結し、
第２の扉部の幅方向一端を自動販売機本体に回動自在に連結した
ことを特徴とする自動販売機。
【請求項２】
前記連結部材の一端側を他端側に対して外扉側に屈曲するように形成した
ことを特徴とする請求項１記載の自動販売機。
【発明の詳細な説明】
【０００１】
【発明の属する技術分野】
本発明は、缶、ビンまたはペットボトル等に収容された商品を販売する自動販売機に関するものである。
【０００２】
【従来の技術】
従来、この種の自動販売機としては、例えば特開平８−１４７５４６号公報に記載されているように、前面を開口した自動販売機本体と、自動販売機本体の前面を開閉する外扉と、自動販売機本体内の商品収納庫を開閉する内扉とを備え、外扉及び内扉を自動販売機本体の幅方向一端側に回動自在に連結したものが知られている。
【０００３】
この自動販売機では、内扉を幅方向に分割形成した二つの扉部を互いにヒンジ結合し、外扉及び内扉を開放した際、自動販売機本体の他端側の扉部を一端側の扉部に対して回動させることにより、内扉を外扉とほぼ同等の角度で開放できるようになっている。これにより、外扉を約９０゜以上に開放できないような設置状況においても、内扉の開放が外扉との干渉により制限されることがなく、商品補充時の作業スペースを十分に確保することができる。
【０００４】
また、他の例としては、内扉を分割形成せずに、内扉の一端側から他端側に所定距離をおいた部分を所定長さの連結板の一端にヒンジ結合し、連結板の他端を自動販売機本体にヒンジ結合したものもある。この構造では、連結板が外扉と干渉しても内扉が連結板の他端を中心に回動するため、前記従来例と同様、内扉の開放が外扉との干渉により制限されることがない。
【０００５】
【発明を解決しようとする課題】
しかしながら、前者の自動販売機の場合、内扉を分割形成して各扉部を互いにヒンジ結合しているため、各扉部の間に気密性の高い弾性部材を設けることができず、断熱効果を低下させるという問題点があった。
【０００６】
また、後者の場合には、内扉が分割形成されていないので、前者のような不具合は生じないが、内扉がその一端側から他端側に所定距離をおいた部分を中心に回動することから、外扉及び内扉を９０゜以上に開放した場合、内扉の一端側が前記回動支点よりも作業空間側に突出し、作業性を低下させるという問題点があった。
【０００７】
本発明は前記問題点に鑑みてなされたものであり、その目的とするところは、内扉を分割形成しても断熱性を低下させることがなく、しかも内扉を９０゜以上に開放した場合であっても作業性の低下を来すことのない自動販売機を提供することにある。
【０００８】
【課題を解決するために手段】
本発明は前記目的を達成するために、請求項１では、前面を開口した自動販売機本体と、自動販売機本体の前面を開閉する外扉と、自動販売機本体内の商品収納庫を開閉する内扉とを備え、外扉及び内扉を自動販売機本体の幅方向一端側に回動自在に連結した自動販売機において、前記内扉を互いに幅方向に分割された第１及び第２の扉部から形成し、第１の扉部の幅方向一端に所定長さの連結部材の一端を回動自在に連結するとともに、連結部材の他端を自動販売機本体に回動自在に連結し、第２の扉部の幅方向一端を自動販売機本体に回動自在に連結している。
【０００９】
これにより、第１の扉部が自動販売機本体の一端側から連結部材の長さだけ離れた位置で回動することから、第１の扉部の開放が外扉との干渉によって制限されることがない。この場合、第１の扉部は第２の扉部とは分離して回動するので、ヒンジ結合した場合とは異なり、各扉部間に気密性の高い弾性部材を設けることが可能となる。また、第１の扉部はその幅方向一端に連結部材が連結されているので、第１の扉部を９０゜以上に開放した場合でも、第１の扉部の一端側が作業空間側に突出することがない。
【００１０】
また、請求項２では、請求項１記載の自動販売機において、前記連結部材の一端側を他端側に対して外扉側に屈曲するように形成している。
【００１１】
これにより、請求項１の作用に加え、連結部材の一端側が外扉側に屈曲していることから、連結部材を直線状に形成した場合に比べ、外扉と当接したときにその一端側を外扉側に近づけることができる。
【００１２】
【発明の実施の形態】
図１乃至図７は本発明の一実施形態を示すもので、図１は自動販売機の全体斜視図、図２はその正面断面図、図３はその平面断面図、図４は内扉の要部斜視図、図５乃至図７はその動作説明図である。
【００１３】
この自動販売機は、前面を開口した自動販売機本体１と、自動販売機本体１の前面を開閉する外扉２と、自動販売機本体１内に設けられた商品収納庫３と、商品収納庫３内に収容された複数の商品収納コラム４と、商品収納庫３を開閉する内扉５とを備えている。
【００１４】
自動販売機本体１は下部に機械室１ａを有し、機械室１ａ内には商品収納庫３内を冷却する冷凍機器等が収容されている。
【００１５】
外扉２は支軸２ａを介して自動販売機本体１の幅方向一端側に回動自在に取付けられ、図示していないがその前面には商品サンプル、商品選択スイッチ、金銭投入口、商品取出口等が設けられている。
【００１６】
商品収納庫３は前面を開口した断熱箱３ａによって形成され、その開口縁には内扉５との間を密閉するための弾性パッキン３ｂが取付けられている。
【００１７】
各商品収納コラム４は商品を上下方向に積み重ねて収納する周知の構造からなり、商品を下方に一つずつ落下搬出するようになっている。各商品収納コラム４は互いに幅方向に配置され、それぞれ前方に引き出し可能に設けられている。即ち、各商品収納コラム４は、図５に示すように前方に引き出した状態でその側方から商品を補充するようになっている。また、自動販売機本体１の幅方向一端側（図中左側）の商品収納コラム４と商品収納庫３の内側面との間には補助収納空間３ｃが設けられ、この空間３ｃは、例えば次回の商品補充時に商品収納コラム４に収納される商品を商品収納庫３内で予め冷却または加熱しておくために利用される。
【００１８】
内扉５は互いに幅方向に分割形成された第１及び第２の扉部６，７からなり、各扉部６，７はそれぞれ断熱性の材質によって形成されている。
【００１９】
第１の扉部６は商品収納庫３内の全ての商品収納コラム４に対応する幅を有し、その幅方向一端側を連結板８を介して自動販売機本体１側に連結されている。連結板８は両端にそれぞれヒンジ８ａを有し、一端側のヒンジ８ａは第１の扉部６の一端に回動自在に連結され、他端側のヒンジ８ａは自動販売機本体１側に回動自在に連結されている。この場合、連結板８の一端側は他端側に対して外扉２側に屈曲するように形成されている。また、第１の扉部６の幅方向他端側には扉部６の開閉操作及びロック操作を行うためのレバー６ａが取付けられ、扉部６の下部には複数の商品搬出口６ｂが設けられている。
【００２０】
第２の扉部７は商品収納庫３の補助収納空間３ｃに対応する幅を有し、その幅方向一端側をヒンジ７ａを介して自動販売機本体１側に連結されている。この場合、ヒンジ７ａはヒンジ板７ｂを解して第２の扉部７に連結され、ヒンジ板７ｂは連結板８と同様、その一端側は他端側に対して外扉２側に屈曲するように形成されている。第２の扉部７は第１の扉部６の連結板８の後方に位置するようになっており、連結板８の幅方向の長さは、各扉部６，７を閉じた状態において第１の扉部６を第２の扉部７の幅だけ自動販売機本体１の他端側に位置させるように形成されている。また、第２の扉部７の一端面には、各扉部６，７の間を密閉するための弾性パッキン７ｃが取付けられている。この場合、第２の扉部７側だけでなく、第１の扉部６側にもパッキンを設けるようにしてもよい。
【００２１】
以上のように構成された自動販売機においては、外扉２及び内扉５を開放することにより、商品収納コラム４に商品の補充が行われる。その際、図５に示すように内扉５の第１の扉部６のみを開放することにより、任意の商品収納コラム４を前方に引き出すことができる。また、第１の扉部６は連結板８の一端（自動販売機本体１側）を中心に回動するが、連結板８が外扉２の一端に当接した場合には連結板８の他端（第１の扉部６側）を中心に回動することから、第１の扉部６の開放が外扉２との干渉によって制限されることがない。また、図６に示すように第１の扉部６を９０゜以上に開放した場合でも、第１の扉部６はその幅方向一端に連結板８をヒンジ結合しているので、従来のように第１の扉部６の一端側が図中破線部分６′で示すように作業空間側に突出することがない。尚、第２の扉部７は閉鎖されたままであるが、図７に示すように補助収納空間３ｃへの商品の出し入れに際して適宜開放される。
【００２２】
また、第１の扉部６を閉じると、第２の扉部７のパッキン６ｂが第１の扉部６の端面に圧着し、各扉部６，７間が気密性の高い状態で密閉される。
【００２３】
このように、本実施形態の自動販売機によれば、内扉５を第１及び第２の扉部６，７によって分割形成し、第１の扉部６を自動販売機本体１の一端側から第２の扉部７の幅だけ離れた位置で回動させるようにしたので、第１の扉部６の開放が外扉２との干渉によって制限されることがなく、商品補充時の作業空間を十分に確保することができる。
【００２４】
この場合、第１の扉部６を第２の扉部７から分離して回動させるようにしたので、従来のようにヒンジ結合した場合とは異なり、各扉部６，７間に気密性の高いパッキン７ｃを設けることができ、断熱効果の低下を確実に防止することができる。
【００２５】
また、第１の扉部６はその幅方向一端に連結板８をヒンジ結合しているので、従来のように内扉を分割形成せずにその一端側から所定距離をおいた位置で回動させるようにした場合とは異なり、内扉５を９０゜以上に開放した場合でも、第１の扉部６の一端側が作業空間側に突出することがなく、作業性の低下を確実に防止することができる。
【００２６】
更に、連結板８の一端側を外扉２側に屈曲するように形成したので、連結板８を一様な平板状（直線状）に形成した場合に比べ、外扉２と当接したときにその一端側を外扉２側に近づけることができ、連結板８の一端側に連結される第１の扉部６の作業空間側への突出量を少なくすることができる。また、第２の扉部７のヒンジ板７ｂも同様に屈曲しているので、第２の扉部７の開放角度を大きくすることができる。
【００２７】
尚、前記実施形態では、前方に引き出して商品の補充を行う商品収納コラム４を示したが、例えばサーペンタイン式等、他の構造の商品収納コラムを備えた自動販売機にも本発明を適用することができる。
【００２８】
【発明の効果】
以上説明したように、請求項１の自動販売機によれば、内扉を分割形成した構成においても、分割された第１及び第２の扉部間に気密性の高い弾性部材を設けることができるので、断熱効果の低下を確実に防止することができる。また、内扉を９０゜以上に開放した場合でも、第１の扉部の一端側が作業空間側に突出することがないので、作業性の低下を確実に防止することができる。
【００２９】
また、請求項２の自動販売機によれば、請求項１の効果に加え、第１の扉部と自動販売機本体とを連結する連結部材が外扉と当接したときに、その一端側を外扉側に近づけることができるので、連結部材の一端側に連結される第１の扉部の作業空間側への突出量を少なくすることができ、作業空間を十分に確保することができる。
【図面の簡単な説明】
【図１】本発明の一実施形態を示す自動販売機の全体斜視図
【図２】自動販売機の正面断面図
【図３】自動販売機の平面断面図
【図４】内扉の要部斜視図
【図５】内扉の動作説明図
【図６】内扉の動作説明図
【図７】内扉の動作説明図
【符号の説明】
１…自動販売機本体、２…外扉、３…商品収納庫、５…内扉、６…第１の扉部、７…第２の扉部、８…連結板。
【図１】
0004540258.tif 000002
【図２】
0004540258.tif 000003
【図３】
0004540258.tif 000004
【図４】
0004540258.tif 000005
【図５】
0004540258.tif 000006
【図６】
0004540258.tif 000007
【図７】
0004540258.tif 000008